(57)【要約】  【課題】野菜室等の貯蔵室の合理的な冷却構成で食品保鮮性を向上させ、収納スペースの増大や省エネルギー化が図れる冷蔵庫を提供する。  【解決手段】冷蔵庫本体３０を上下に分割する第１の断熱区画壁３１により分割した下部区画３３内を第２の断熱区画壁４０により左下部区画と右下部区画に分割し、左下部区画と右下部区画のいずれか一方を冷凍室とし、他方を第３の断熱区画壁４９により上区画と下区画に分割した構成において、上区画を野菜室４６、下区画を冷凍室４８とすることで、野菜室４６の下方向と横方向が冷凍ゾーンとなり、野菜室４６に対する冷凍ゾーンからの熱伝導および輻射熱により冷却空気の導入が少量で済み、野菜室４６内に保管された野菜等の貯蔵品の乾燥を防いで保鮮性を向上し、冷気通路の簡素化による有効内容積の増大と、電動ファンの送風量を減少させることにより省エネルギー化を図る。【選択図】図３
2007120905.tif 000002
【特許請求の範囲】
【請求項１】
断熱箱体で形成された冷蔵庫本体内を上下に分割する第１の区画壁により上部区画と下部区画に分割され、前記下部区画内を左右に分割する第２の区画壁により左下部区画と右下部区画に分割され、前記左下部区画と前記右下部区画のいずれか一方を冷凍室とし、他方を上下に分割する第３の区画壁により上区画と下区画に分割して前記下区画を冷凍室とするとともに、前記上区画内の貯蔵室を前記第２の区画壁と前記第３の区画壁とを介して前記冷凍室と隣接させた冷蔵庫。
【請求項２】
前記上区画内の貯蔵室を野菜室とした請求項１に記載の冷蔵庫。
【請求項３】
前記第１の区画壁を介した前記上区画の直上部を前記上部区画内に設けた低温室とした請求項１または請求項２に記載の冷蔵庫。
【請求項４】
前記上区画の背面側に冷凍サイクルの冷却器を設けた冷却室を配置した請求項１から請求項３のいずれか一項に記載の冷蔵庫。
【請求項５】
前記上区画と前記下区画との背面側に跨って冷凍サイクルの冷却器を設けた冷却室を配置した請求項１から請求項３のいずれか一項に記載の冷蔵庫。
【発明の詳細な説明】
【技術分野】
【０００１】
本発明は、冷蔵庫の区画レイアウト及び区画内の貯蔵室の冷却方式に関するものである。
【背景技術】
【０００２】
近年、様々なレイアウトの冷蔵庫が発売されている（例えば、特許文献１参照）。
【０００３】
図７、図８は特許文献１に記載された従来の冷蔵庫を示すものである。図７は従来の冷蔵庫の正面図、図８は従来の冷蔵庫の扉を開けた状態の斜視図である。
【０００４】
図７、図８に示すように２は冷蔵庫本体１内を上下に区画する断熱区画壁であり、上部に上部区画３、下部に下部区画４を形成している。５は上部区画３内を左右に区画する第１の区画壁であり、６は下部区画４内を左右に区画する第２の区画壁である。７は第１の区画壁５により一方側に形成された冷蔵室、８は冷蔵室７の下部に区画壁９を挟んで形成された野菜室である。１０は第１の区画壁５により他方側に形成されたボトル収納室である。１１は第２の区画壁６により一方側に形成された冷凍室、１２は他方側に形成された製氷室である。
【０００５】
冷蔵室７の開口面には開閉自在に取り付けられたヒンジ開閉式扉１３が設けられている。野菜室８は開口面に開閉自在に取り付けられた引出し式扉１４を設けており、室内側の収納容器を一体に引き出せるように構成されている。
【０００６】
ボトル収納室１０は開口面に開閉自在に取り付けられた引出し式扉１５を設けており、室内側の収納容器１６、１７、１８、１９を一体に引き出せるように構成されている。また、冷凍室１１は開口面に開閉自在に取り付けられた引出し式扉２０を設けており、室内側の収納容器を一体に引き出せるよう構成されている。製氷室１２は開口面に開閉自在に取り付けられた引出し式扉２１を設けており、室内側の収納容器を一体に引き出せるように構成されている。
【特許文献１】特開２００１−２６３９１３号公報
【発明の開示】
【発明が解決しようとする課題】
【０００７】
しかしながら、上記従来の構成では、野菜室８の下方向のみが冷凍ゾーンであり、その他の方向は冷蔵ゾーンまたは冷蔵庫外となっているため、野菜室８に対する冷凍ゾーンからの熱伝導および輻射熱による冷却効果があまり期待できず、野菜室８を冷却するためには多量の冷却空気を野菜室８内に直接導入する必要があり、貯蔵品または野菜等の乾燥を促進し、食品保鮮性を劣化させ、あらたに冷気通路の構成による有効内容積の減少と、電動ファンによる送風による消費電力量増大という課題を有していた。
【０００８】
本発明は、上記従来の課題を解決するもので、野菜室等の特に乾燥抑制の要請がある貯蔵室内に保管された貯蔵品または野菜の乾燥を防ぎ、食品の保鮮性を向上と、冷気通路の構造簡素化による有効内容積の増大と、電動ファンの送風量を減少させることによる省エネルギー化が図れる冷蔵庫を提供することを目的とする。
【課題を解決するための手段】
【０００９】
上記従来の課題を解決するために、本発明の冷蔵庫は、断熱箱体で形成された冷蔵庫本体内を上下に分割する第１の区画壁により上部区画と下部区画に分割され、前記下部区画内を左右に分割する第２の区画壁により左下部区画と右下部区画に分割され、前記左下部区画と前記右下部区画のいずれか一方を冷凍室とし、他方を上下に分割する第３の区画壁により上区画と下区画に分割して前記下区画を冷凍室とするとともに、前記上区画内の貯蔵室を前記第２の区画壁と前記第３の区画壁とを介して前記冷凍室と隣接させたものである。
【００１０】
これによって、上区画内の貯蔵室の下方向及び横方向を冷凍ゾーンとすることで、貯蔵室に対する冷凍ゾーンからの熱伝導および輻射熱による冷却効果を増大することができるため、貯蔵室を冷却するための冷却空気が少量で済み、貯蔵室内に保管された貯蔵品の乾燥を防ぎ、食品の保鮮性を向上し、冷気通路の構造簡素化による有効内容積の増大と、電動ファンの送風量を減少させることにより省エネルギー化が可能となる。
【発明の効果】
【００１１】
本発明の冷蔵庫は、貯蔵室または野菜室の下方向及び横方向を冷凍ゾーンとすることで、貯蔵室または野菜室に対する冷凍ゾーンからの熱伝導および輻射熱による冷却効果を増大することができるため、貯蔵室または野菜室を冷却するための冷却空気が少量で済み、貯蔵室または野菜室内に保管された貯蔵品または野菜の乾燥を防ぎ、食品の保鮮性を向上し、冷気通路の構造簡素化による有効内容積の増大と、電動ファンの送風量を減少あるいは停止させることにより省エネ効果を発揮することができる。
【発明を実施するための最良の形態】
【００１２】
請求項１に記載の発明は、断熱箱体で形成された冷蔵庫本体内を上下に分割する第１の区画壁により上部区画と下部区画に分割され、前記下部区画内を左右に分割する第２の区画壁により左下部区画と右下部区画に分割され、前記左下部区画と前記右下部区画のいずれか一方を冷凍室とし、他方を上下に分割する第３の区画壁により上区画と下区画に分割して前記下区画を冷凍室とするとともに、前記上区画内の貯蔵室を前記第２の区画壁と前記第３の区画壁とを介して前記冷凍室と隣接させたものである。
【００１３】
これにより、貯蔵室の下方向及び横方向を冷凍ゾーンとすることで、貯蔵室に対する冷凍ゾーンからの熱伝導および輻射熱による冷却効果を増大することができるため、貯蔵室を冷却するための冷却空気が少量で済み、貯蔵室内に保管された貯蔵品の乾燥を防ぎ、食品の保鮮性を向上し、冷気通路の構造簡素化による有効内容積の増大と、電動ファンの送風量を減少させることにより省エネルギー効果を発揮することができる。
【００１４】
請求項２に記載の発明は、請求項１に記載の発明において、前記上区画内の貯蔵室を野菜室としたものである。
【００１５】
これにより、野菜室の下方向及び横方向を冷凍ゾーンとすることで、野菜室に対する冷凍ゾーンからの熱伝導および輻射熱による冷却効果を増大することができるため、野菜室を冷却するための冷却空気が少量で済み、野菜室内に積極的に冷気を導入しないことによって室内の高湿化が図れ、保管された特に乾燥を嫌う野菜の乾燥を防ぎ、保鮮性を向上することができる。また、冷気通路の構造簡素化による有効内容積の増大と、電動ファンの送風量を減少させることにより省エネルギー効果を発揮することができる。
【００１６】
請求項３に記載の発明は、請求項１または請求項２に記載の発明において、前記第１の区画壁を介した前記上区画の直上部を前記上部区画内に設けた低温室としたものである。
【００１７】
これにより、下方向と横方向だけでなく上方向も低温度帯の区画とすることで、上区画に構成した野菜室等の貯蔵室に対する冷凍ゾーンからの熱伝導および輻射熱による冷却効果をさらに増大することができるため、貯蔵室または野菜室を冷却するための冷却空気が少量で済み、貯蔵室または野菜室内に保管された貯蔵品または野菜の乾燥を防ぎ、食品の保鮮性を向上し、冷気通路の構造簡素化による有効内容積の増大と、電動ファンの送風量を減少あるいは停止させることにより省エネ効果を発揮することができる。
【００１８】
請求項４に記載の発明は、請求項１から請求項３のいずれか一項に記載の発明において、前記上区画の背面側に冷凍サイクルの冷却器を設けた冷却室を配置したものである。
【００１９】
これにより、下方向と横方向だけでなく背面方向も冷凍温度帯とすることで、上区画の野菜室等の貯蔵室に対する冷凍ゾーンからの熱伝導および輻射熱による冷却効果をさらに増大することができるため、野菜室等の貯蔵室を冷却するための冷却空気がより少量で済み、室内に保管された貯蔵品または野菜の乾燥を防ぎ、食品の保鮮性を向上し、冷気通路の構造簡素化による有効内容積の増大と、電動ファンの送風量を減少させることにより省エネルギー効果を発揮することができる。
【００２０】
請求項５に記載の発明は、請求項１から請求項３のいずれか一項に記載の発明において、前記上区画と前記下区画との背面側に跨って冷凍サイクルの冷却器を設けた冷却室を配置したものである。
【００２１】
これにより、下方向と横方向だけでなく背面方向も冷凍温度帯とすることで、野菜室等の貯蔵室に対する冷凍ゾーンからの熱伝導および輻射熱による冷却効果をさらに増大することができるため、野菜室等の貯蔵室を冷却するための冷却空気が少量で済み、室内に保管された貯蔵品または野菜の乾燥を防ぎ、食品の保鮮性を向上し、冷気通路の構造簡素化による有効内容積の増大と、電動ファンの送風量を減少させることにより省エネ効果を発揮することができる。
【００２２】
また、冷却室を上区画と下区画との背面側に跨って配置することで、冷却室のスペースが十分に確保できるため、比較的大容量の冷却器が搭載可能となり、冷却性能も向上することができる。
【００２３】
以下、本発明による冷蔵庫の実施の形態について、図面を参照しながら説明するが、従来例または先に説明した実施の形態と同一構成については同一符号を付して、その詳細な説明は省略する。なお、この実施の形態によってこの発明が限定されるものではない。
【００２４】
（実施の形態１）
以下、本発明の実施の形態１を図１、図２、図３に基づいて説明する。図１は本発明の実施の形態１における冷蔵庫の正面図、図２は同実施の形態の冷蔵庫の断熱箱体の正面図、図３は同実施の形態の冷蔵庫の扉を開けた状態の斜視図である。
【００２５】
図１、図２、図３に示すように、３０は断熱箱体で形成された冷蔵庫本体であり、冷蔵庫本体３０は、上下に分割する第１の区画壁３１（以下、第１の断熱区画壁３１という）により上部区画３２と下部区画３３に分割されている。
【００２６】
第１の断熱区画壁３１は上下の区画された領域の温度差がそれほど大きくない場合は、断熱区画壁とする必要がなかったり、部分的な断熱構造でよい場合もある。
【００２７】
上部区画３２は冷蔵温度帯の貯蔵室であり、その前面開口部を塞ぐ扉は引出し式扉３４とヒンジ開閉式扉３５で構成されている。引出し式扉３４の幅はヒンジ式扉３５の幅よりも小さく、引出し扉３４の反対側にヒンジ式扉３５のヒンジ部３６を設けた構成となっている。引出し式扉３４の室内側には複数の収納容器３７が設けられ、引出し式扉３４と一体に引き出せるように構成されている。上部区画３２内において、引出し式扉３４と反対側の室内には収納物を載置する複数の棚３８を備えていて、上部区画３２を広々と見渡すことができる透明の縦仕切り３９により所定の位置に固定されている。
【００２８】
また、下部区画３３は左右に分割する第２の区画壁４０（以下、第２の断熱区画壁４０という）により、左下部区画と右下部区画に分割され、左下部区画は上から順に冷凍ゾーンである引出し式扉４１を備えた製氷室４２、引出し式扉４３を備えた冷凍室４４で構成されている。
【００２９】
右下部区画はさらに上下に分割する第３の区画壁４９（以下、第３の断熱区画壁４９という）により、上部に区画された上区画に引出し式扉４５を備えた貯蔵室４６（以下、野菜室４６という）、下部に区画された下区画に引出し式扉４７を備えた冷凍室４８が配置構成されている。
【００３０】
すなわち、上区画内に形成された野菜室４６は横方向が第２の断熱区画壁４０を介して製氷室４２、冷凍室４４の冷凍温度帯室に隣接しており、下方向が第３の断熱区画壁４９を介して冷凍室４８の冷凍温度帯室に隣接配置されている。
【００３１】
ここで、複数の収納容器３７内には大小のペットボトルやビン類、缶類、紙パック等の飲料、調味量などの液状物容器、その他小物や卵など従来、冷蔵室の扉棚に収納されていた収納物を主に貯蔵でき、引出し式扉３４と一体に引き出せるよう構成している。
【００３２】
以上のように構成された冷蔵庫について、以下その動作について説明する。
【００３３】
野菜室４６の下方向は冷凍室４８であり、横方向は製氷室４２と冷凍室４４である。下方向及び横方向を冷凍ゾーンとすることで、野菜室４６に対する冷凍ゾーンからの熱伝導および輻射熱による冷却効果を増大することができるため、野菜室４６を冷却するための冷却空気を野菜室４６内に直接多量に導入しなくても、壁面を介した熱移動による間接冷却を主体に冷却が可能となり、この結果野菜室４６内の湿度を高めて保管された野菜等の貯蔵品の乾燥を防ぎ、食品の保鮮性を向上することができる。
【００３４】
また、冷気導入の必要性を低減することで冷気通路の構造を簡素化でき、有効内容積の増大と、電動ファンの送風量を減少あるいは停止させることにより省エネルギー効果を発揮することができる。
【００３５】
なお、本実施の形態においては、上区画の貯蔵室４６を特に乾燥の影響を受けやすい野菜類を収納する野菜室４６として説明し、積極的な冷気導入に頼らない間接冷却成分を生かした冷却構成の効果が生かされるものとしたが、貯蔵室４６は必ずしも野菜室に限るものではなく、収納される物品が比較的乾燥を抑えた方が好ましい貯蔵室であればその効果を享有できる。
【００３６】
また、野菜室４６が隣接する左下部区画の冷凍温度帯室は、必ずしも製氷室４２と冷凍室４４の双方に跨る必要はなく、いずれか一方の室であってもよいし、製氷室４２と冷凍室４４とが一つの冷凍室を構成していてもよい。すなわち、熱移動の程度の差はあれ野菜室４６の横方向に冷凍ゾーンが隣接していればよいものである。
【００３７】
（実施の形態２）
以下本発明の実施の形態２について、図４に基づいて説明する。図４は本発明の実施の形態２における冷蔵庫の扉を開けた状態の斜視図である。
【００３８】
図４に示すように、５０は収納容器５１を備え、−１０〜２℃程度までの温度で切替設定可能な低温室である。
【００３９】
以上のように構成された冷蔵庫について、以下その動作について説明する。
【００４０】
野菜室等の貯蔵室４６の下方向は冷凍室４８であり、横方向は製氷室４２と冷凍室４４であり、上方向は第１の断熱区画壁３１を介した低温室５０である。下方向と横方向だけで無く上方向も低温度帯の区画とすることで野菜室等の貯蔵室４６に対する冷凍ゾーンからの熱伝導および輻射熱による冷却効果をさらに増大することができるため、野菜室等の貯蔵室４６を冷却するための冷却空気がより少量で済み、野菜室等の貯蔵室４６内に保管された貯蔵品または野菜の乾燥を防ぎ、食品の保鮮性を向上し、冷気通路の構造簡素化による有効内容積の増大と、電動ファンの送風量を減少あるいは停止させることにより省エネルギー効果を発揮することができる。
【００４１】
（実施の形態３）
以下本発明の実施の形態３について、図５に基づいて説明する。図５は本発明の実施の形態３における冷蔵庫の概略断面図である。
【００４２】
図５に示すように、５２は野菜室等の貯蔵室４６の背面側に設けられ、冷却器５４と冷却用ファン５３備えた冷却室である。
【００４３】
以上のように構成された冷蔵庫について、以下その動作について説明する。
【００４４】
野菜室等の貯蔵室４６の下方向は冷凍室４８であり、横方向は製氷室４２と冷凍室４４であり、背面方向は冷却室５２である。下方向と横方向だけで無く背面方向も冷凍温度帯とすることで、野菜室等の貯蔵室４６に対する冷凍ゾーンからの熱伝導および輻射熱による冷却効果をさらに増大することができるため、野菜室等の貯蔵室４６を冷却するための冷却空気が少量で済み、野菜室等の貯蔵室４６内に保管された貯蔵品または野菜の乾燥を防ぎ、食品の保鮮性を向上し、冷気通路の構造簡素化による有効内容積の増大と、電動ファンの送風量を減少あるいは停止させることにより省エネルギー効果を発揮することができる。
【００４５】
（実施の形態４）
以下本発明の実施の形態４について、図６に基づいて説明する。図６は本発明の実施の形態４における冷蔵庫の概略断面図である。
【００４６】
図６に示すように、５５は野菜室等の貯蔵室４６の背面側に設けられ、冷却器５７と冷却用ファン５６備えた冷却室である。
【００４７】
以上のように構成された冷蔵庫について、以下その動作について説明する。
【００４８】
野菜室等の貯蔵室４６の下方向は冷凍室４８であり、横方向は製氷室４２と冷凍室４４であり、背面方向は冷却室５５である。下方向と横方向だけで無く背面方向も冷凍温度帯とすることで、野菜室等の貯蔵室４６に対する冷凍ゾーンからの熱伝導および輻射熱による冷却効果をさらに増大することができるため、野菜室等の貯蔵室４６を冷却するための冷却空気が少量で済み、野菜室等の貯蔵室４６内に保管された貯蔵品または野菜の乾燥を防ぎ、食品の保鮮性を向上し、冷気通路の構造簡素化による有効内容積の増大と、電動ファンの送風量を減少あるいは停止させることにより省エネルギー効果を発揮することができる。
【００４９】
また、冷却室５５を上区画と下区画との背面側に跨って配置することで、冷却室５５のスペースが上下方向で十分に確保できるため、比較的大容量の冷却器５７が搭載可能となり、冷却性能も向上することができる。
【産業上の利用可能性】
【００５０】
以上のように、本発明にかかる冷蔵庫は、冷凍温度帯室からの熱伝導と熱輻射で冷気を多量に導入しなくても貯蔵室内を冷却できるので、冷凍温度ゾーンを有する冷却機器の合理的な冷却構成として、家庭用冷蔵庫のみならず他の冷却機器にも適用できる。
【図面の簡単な説明】
【００５１】
【図１】本発明の実施の形態１における冷蔵庫の正面図
【図２】同実施の形態の冷蔵庫の断熱箱体の正面図
【図３】同実施の形態の冷蔵庫の扉を開けた状態の斜視図
【図４】本発明の実施の形態２における冷蔵庫の扉を開けた状態の斜視図
【図５】本発明の実施の形態３における冷蔵庫の概略断面図
【図６】本発明の実施の形態４における冷蔵庫の概略断面図
【図７】従来の冷蔵庫の正面図
【図８】従来の冷蔵庫の扉を開けた状態の斜視図
【符号の説明】
【００５２】
３０  冷蔵庫本体
３１  第１の断熱区画壁（第１の区画壁）
３２  上部区画
３３  下部区画
３４  引出し式扉
３５  ヒンジ式扉
３６  ヒンジ部
３７  収納容器
３８  棚
３９  縦仕切り
４０  第２の断熱区画壁（第２の区画壁）
４１  引出し式扉
４２  製氷室
４３  引出し式扉
４４  冷凍室
４５  引出し式扉
４６  野菜室（貯蔵室）
４７  引出し式扉
４８  冷凍室
４９  第３の断熱区画壁（第３の区画壁）
５０  低温室
５２  冷却室
５４  冷却器
５５  冷却室
５７  冷却器
【図１】
2007120905.tif 000003
【図２】
2007120905.tif 000004
【図３】
2007120905.tif 000005
【図４】
2007120905.tif 000006
【図５】
2007120905.tif 000007
【図６】
2007120905.tif 000008
【図７】
2007120905.tif 000009
【図８】
2007120905.tif 000010